(57)【特許請求の範囲】
【請求項１】
前記遊技盤の盤面を流下する遊技球を受け入れるように遊技盤面前方側に向けて開口する開口部と、
その開口部と連通する形で設けられた１又は複数の入賞口と、
前記開口部を介して盤面内部側に出入り可能な形で回転支点部を介して取り付けられ、盤面後方側に収まり前記入賞口を閉塞する閉塞位置と、前記入賞口を開放するよう盤面前方側に突出する開放位置との間で振り子状に回動するように開閉駆動される開閉部材と、
駆動変位部を有し、その駆動変位部を、前記開閉部材を前記閉塞位置に位置させるための第一変位状態と、同じく前記開放位置に位置させるための第二変位状態との間で駆動変位させる駆動出力部と、
前記駆動出力部の変位を、前記開閉部材の回転変位に変換しつつ該開閉部材に伝達する伝達機構と、
前記閉塞位置にある前記開閉部材に対し前記開放位置へ変位させようとする強制操作力が加えられた場合に、前記駆動出力部が前記第一変位状態にある場合には前記開閉部材の開放位置への移動を阻止する強制開放保護機構と、
を備えたことを特徴とする遊技機用入賞装置。
【請求項２】
前記駆動出力部の動作を直接又は他部材を介して前記開閉部材の回動動作に変換する第一伝達主体と、
前記駆動出力部の動作と連動して変位動作し、前記駆動出力部が前記第一変位状態にある場合には、強制操作力に基づく前記開閉部材の変位を阻害する阻害位置に移動し、同じく前記第二変位状態にある場合には開閉の変位を許容する許容位置に移動する第二伝達主体とを含む請求項１に記載の遊技機用入賞装置。
【請求項３】
前記第一伝達主体は、前記遊技盤の盤面と平行又は略平行な所定の回動軸線（以下、伝達主体回動軸線ともいう）周りに回動可能に設けられ、その伝達主体回動軸線から回動半径方向において一定距離隔たった位置に第一側作用部が形成される第一回動部材を有し、
前記第二伝達主体は、該第一回動部材と同一軸線周りに回動するよう配置されるとともに、前記伝達主体回動軸線に関する半径方向に一定距離隔たった位置に第二側作用部が形成される第二回動部材を含み、
さらに、前記第二回動部材は、前記駆動出力部の変位状態が前記第一変位状態と前記第二変位状態との間で遷移するに伴い、干渉位置と退避位置との間で動くようになっており、前記閉塞位置にある前記開閉部材を前記開放位置に向けて強制変位させるに伴い、前記第二側作用部を、前記干渉位置において前記開閉部材の回動を阻止するように前記開閉部材に対して直接又は間接的に干渉させ、前記退避位置では前記開閉部材の回動を許容するように前記第二側作用部を退避する請求項２に記載の遊技機用入賞装置。
【請求項４】
前記駆動出力部は、前記開閉部材の側方に設けられるとともに、電気的信号の入力に基づいて直線的に変位する駆動変位部を有してなり、該駆動変位部の変位方向が鉛直方向となるように配置される請求項１ないし３のいずれかに記載の遊技機用入賞装置。
【請求項５】
前記開閉部材は、当該開閉部材の回動軸線（以下、開閉部材回動軸線ともいう）と平行方向又は略平行方向に細長に延びる形で板状に形成され、その板面が前記開閉部材回動軸線に関する半径方向外側に向けて凸となるよう屈曲する球受板を有する請求項１ないし４のいずれかに記載の遊技機用入賞装置。
【請求項６】
前記球受板は、外周面と内周面が前記開閉部材回動軸線を中心とする同心的な円筒面をなすように、前記開閉部材回動軸線に直交する断面形状が弓形形状となるよう形成される請求項５に記載の遊技機用入賞装置。
【請求項７】
前記開口部と連通する前記入賞口は１つのみである請求項１ないし６のいずれかに記載の遊技機用入賞装置。
【請求項８】
請求項１ないし７のいずれかに記載の遊技機用入賞装置を備えたことを特徴とする遊技機。
【発明の詳細な説明】
【０００１】
【発明の属する技術分野】
本発明は、遊技機用入賞装置及びそれを用いた遊技機に関する。
【０００２】
【従来の技術】
近年、パチンコ機に代表される弾球遊技機においては、始動入賞に伴い変動表示部に図柄を変動表示し、特定の図柄が確定表示された場合に大当りとなって、常時は閉塞状態の入賞口が開放され、多数の賞球を獲得できる第一種遊技機（いわゆるセブン機）、或いは特定のプロセスを踏むと大当りが発生しやすくなる第三種遊技機（いわゆる権利物）等が人気を集めている。大入賞口を備えた入賞装置はアタッカーとも称され、横長の大入賞口が対応する横長形状の開閉部材により開閉可能に塞がれる構造となっている。通常閉塞部材は大入賞口を塞ぐ閉塞位置と、開く開放位置との間で、ソレノイドにより開閉駆動される。
【０００３】
このような入賞装置が広く提供される中で、開閉部材が振り子状に回動して開閉動作を行うような独特な態様により遊技者の興趣向上を図る入賞装置として、例えば特許第３１２９５２２号に示されるようなものが提供されている。
【０００４】
【発明が解決しようとする課題】
本発明の解決すべき課題は、入賞口を開閉する開閉部材が振り子状に回動する遊技機用入賞装置において、開閉部材を外部から強制的に開放位置に変位させることが困難でありひいては不正行為等を効果的に防止できる遊技機用入賞装置及びそれを用いた遊技機を提供する。
【０００５】
【課題を解決するための手段及び作用・効果】
上記のような課題を解決するために本発明は、
前記遊技盤の盤面を流下する遊技球を受け入れるように遊技盤面前方側に向けて開口する開口部と、
その開口部と連通する形で設けられた１又は複数の入賞口と、
前記開口部を介して盤面内部側に出入り可能な形で回転支点部を介して取り付けられ、盤面後方側に収まり前記入賞口を閉塞する閉塞位置と、前記入賞口を開放するよう盤面前方側に突出する開放位置との間で振り子状に回動するように開閉駆動される開閉部材と、
駆動出力部を有し、その駆動出力部を、前記開閉部材を前記閉塞位置に位置させるための第一変位状態と、同じく前記開放位置に位置させるための第二変位状態との間で駆動変位させる駆動出力部と、
前記駆動出力部の変位を、前記開閉部材の回転変位に変換しつつ該開閉部材に伝達する伝達機構と、
前記閉塞位置にある開閉部材に対し前記開放位置へ変位させようとする強制操作力が加えられた場合に、前記駆動出力部が前記第一変位状態にある場合には開閉部材の開放位置への移動を阻止する強制開放保護機構と、
を備えたことを特徴とする遊技機用入賞装置を提供する。
【０００６】
上記構成によれば、開閉部材が振り子状に変位するような入賞装置を備える遊技機において不正遊技が効果的に防止できる。即ち、駆動出力部が第一変位状態にある場合には開閉部材の開放位置への移動を阻止し、同じく第二変位状態にある場合には開閉部材の開放位置への移動を許容する強制開放保護機構を設けたため、閉塞位置にある開閉部材を外部から強制的に開放位置に変位させることが困難であり、ひいては不正行為の防止に大いに寄与する。
【０００７】
また、特に上記のような振り子状に開閉部材が変位する遊技機においては、開閉部材が閉塞位置にある場合に盤面内部側に収まった状態において、その構造上盤面内部側に凹む形となり、その凹みに流下する遊技球が進入し衝突することとなる。従って、ばね等による弾性力により当該開閉部材の位置保持を行うと、遊技球が当該開閉部材に衝突してその衝撃により弾性力に抗して開放位置に変位してしまう可能性がある。しかしながら、上記のごとく構成すれば駆動出力部が第一変位状態にある場合に遊技球が開閉部材に衝突したとしても、強制開放保護機構により開閉部材の開放位置への移動が阻止され、開放が防止されることとなるため、このような振り子状に回動する遊技機に上記強制開放保護機構を設けることは極めて意義深いと言える。
【０００８】
具体的には例えば、前記駆動出力部の動作を直接又は他部材を介して前記開閉部材の回動動作に変換する第一伝達主体と、前記駆動出力部の動作と連動して変位動作し、前記駆動出力部が前記第一変位状態にある場合には、強制操作力に基づく前記開閉部材の変位を阻害する阻害位置に移動し、同じく前記第二変位状態にある場合には開閉の変位を許容する許容位置に移動する第二伝達主体とを含むようにできる。
【０００９】
前記第一伝達主体は、前記遊技盤の盤面と平行又は略平行な所定の回動軸線（以下、伝達主体回動軸線ともいう）周りに回動可能に設けられ、その伝達主体回動軸線から回動半径方向において一定距離隔たった位置に第一側作用部が形成される第一回動部材を有し、前記第二伝達主体は、該第一回動部材と同一軸線周りに回動するよう配置されるとともに、回動伝達軸からその回動半径方向に一定距離隔たった位置に第二側作用部が形成される第二回動部材を含み、さらに、前記第二回動部材は、前記駆動出力部の変位状態が前記第一変位状態と前記第二変位状態との間で遷移するに伴い、干渉位置と退避位置との間で動くようになっており、前記閉塞位置にある前記開閉部材を前記開放位置に向けて強制変位させるに伴い、前記第二側作用部を、前記干渉位置において前記開閉部材の回動を阻止するように前記開閉部材に対して直接又は間接的に干渉させ、前記退避位置では前記開閉部材の回動を許容するように前記第二側作用部を退避する。
【００１０】
また、上記いずれの入賞装置においても以下のようにできる。即ち、前記開閉部材は、前記閉塞位置において自重により開放位置に変位する方向に付勢される一方、前記第一回動部材により当該開閉部材の自重による変位を阻止するように当接され、前記駆動出力部が第一変位状態から第二変位状態に変位するに伴い、前記第一回動部材が当該開閉部材の自重による変位を許容する方向に変位するようにしてもよい。
【００１１】
さらに、上記入賞装置において以下の構成を付加することができる。即ち、前記閉塞位置において、前記第二回動部材は前記駆動変位部と又は該駆動出力部と連動する中間伝達部材と当接する形で位置決めされることにより前記第二側作用部が前記干渉位置に位置するようになっており、さらに、当該第二回動部材が自重により回転する方向に前記駆動変位部又は前記中間伝達部材が位置することによりそれらが当接して位置決めされるようにしてもよい。
【００１２】
前記開閉部材は、当該開閉部材の回動軸線（開閉部材回動軸線）の方向に細長に延びる形で板状に形成され、その板面が前記開閉部材回動軸線の軸半径方向外側に向けて凸となるよう屈曲する球受板を有する。このように屈曲する板状に形成することにより、流下する遊技球の衝突による衝撃を軽減でき、部品の耐久性を向上できる。
【００１３】
前記球受板は、前記外周と内周が前記開閉部材回動軸線を中心とする同心的な円筒面をなすよう断面弓形形状に形成される。このように球受板を円筒形状に形成することにより、慣性力に起因するトルクが平板形状の場合と比較して大きくなり、回動が良好に行われることとなる。
【００１４】
【発明の実施の形態】
本発明の実施の形態を図面に示す実施例を参照しつつ説明する。
本発明の概要を述べると、本発明の遊技機用入賞装置（以下、単に入賞装置ともいう）は、図９のような遊技機１００の遊技盤の盤面を流下する遊技球を受け入れるようなっており、図１のごとく入賞装置１０の本体部を構成する入賞装置本体（前側本体１２及び後側本体１１にて構成：後述）において、遊技盤面前方側に向けて開口するように形成された開口部１４と、図４のようにその開口部１４と連通する形で設けられた１又は複数の入賞口２５を備える形で構成される。そして、開口部１４を介して盤面内部側に出入り可能な形で回転支点部２３，２３を介してその入賞装置本体に取り付けられ、盤面後方側に収まり入賞口２５を閉塞する閉塞位置（図２）と、入賞口２５を開放するよう盤面前方側に突出する開放位置（図１）との間で振り子状に回動するように開閉駆動される開閉部材２０が設けられている。
【００１５】
回転支点部２３，２３は、開閉部材回動軸線Ｏ１の方向への移動は拘束され、回転方向の変位は許容される形で入賞装置本体に取り付けられる。具体的には図３にて示されるように、回転支点部２３，２３は軸状に形成されており、開閉部材２０において形成された穴に一端を差し込まれ、他端は回転支点部を本体にて保持するための保持部材３７，３７に形成された穴に差し込まれる。そして、保持部材３７，３７が入賞装置本体（具体的には後側本体１１）に固定されることにより、開閉部材２０が入賞装置本体に回動可能に保持されることとなる。なお、本発明において盤面前方側とは遊技盤面から見て遊技者側、後方側とは盤面内部側を意味する。また、本実施例においては、開口部１４と連通する入賞口２５は１つのみからなるものを示しているが、これに限定されず２以上としてもよい。例えば、いわゆる第三種遊技機に用いられるような特別入賞口と一般入賞口の区別のない単一の入賞口のみを備える構成としてもよい。勿論第一種遊技機に設け、１又は複数の入賞口を内部に備えた構成としてもよい。また、図４のように入賞口２５は開口端縁が開口部１４の側方（即ち水平方向）又は略側方（ほぼ水平方向）、若しくは下方に位置するように設置される。
【００１６】
図３には図１の入賞装置１０の分解斜視図を示している。入賞装置１０においては、駆動変位部３２を有するとともにその駆動変位部３２を、開閉部材２０を閉塞位置に位置させるための第一変位状態と、同じく開放位置に位置させるための第二変位状態との間で駆動変位させる駆動出力部３０が設けられている。なお、本実施例において駆動出力部３０はソレノイドにより構成され、通電状態がオンオフすることに基づいて駆動変位部３２が直線的に変位するように構成されており、その直線変位方向が鉛直方向となるように配置される。具体的には、通常状態においては図７（ａ）のように鉛直下方に突出した状態をとり、通電状態においては、図８（ｂ）のごとくコイル内に駆動出力部３０が引き込まれる形をとる。なお、これら作用の具体的説明については後述する。
【００１７】
また、図３及び図６にて示されるように、その駆動変位部３２の変位を、開閉部材２０の回転変位に変換しつつその開閉部材２０に伝達する伝達機構が設けられており、さらに、閉塞位置にある開閉部材２０に対し開放位置へ変位させようとする強制操作力が加えられた場合に、駆動出力部が第一変位状態にある場合には開閉部材２０の開放位置への移動を阻止する強制開放保護機構が設けられている。以下、これら機構について説明する。
【００１８】
図３の分解斜視図及び図６の要部拡大図にて示されるように、伝達機構１１は、駆動出力部３０の動作（即ち駆動変位部３２の変位）を直接又は他部材を介して（本実施例においてはスライド部材１９を介して）開閉部材２０の回動動作に変換する第一伝達主体としての第一回動部材２７と、中間伝達部材たるスライド部材１９と、駆動変位部３２と、開閉部材２０を主たる構成要素としている。さらに、駆動出力部３０の動作と連動して変位動作し、駆動出力部３０が第一変位状態（図２、図７（ａ）の状態）にある場合には、強制操作力に基づく開閉部材２０の変位を阻害する阻害位置に移動し、同じく第二変位状態（図１、図８の状態）にある場合には開閉の変位を許容する許容位置に移動する第二伝達主体としての第二回動部材２９を含むように構成されている。
【００１９】
具体的には、第一回動部材２７は、遊技盤の盤面と平行又は略平行な所定の回動軸線Ｏ２（伝達主体回動軸線Ｏ２ともいう）周りに回動可能に設けられ、その伝達主体回動軸線Ｏ２からその回動軸線Ｏ２に関する半径方向において一定距離隔たった位置に開閉部材２０に設けられた支持部２０ａと作用し合う第一側作用部２７ａが形成される。一方、第二回動部材２９は、第一回動部材２７と同一軸線（即ち伝達主体回動軸線Ｏ２）周りに回動するよう配置されるとともに、伝達主体回動軸線Ｏ２からその回動軸線Ｏ２に関する半径方向に一定距離隔たった位置に第二側作用部２９ａが形成される。
【００２０】
強制開放保護機構は、主として図６において示される開閉部材２０、第二回動部材２９、スライド部材１９及び駆動変位部３２により構成されている。そして、第二回動部材２９は、駆動出力部３０の変位状態が第一変位状態と第二変位状態との間で遷移するに伴い、開閉部材２０と干渉することによりその開閉部材２０の開放位置へ向かう変位を阻害する干渉位置と、その開放位置へ向かう変位を阻害しない退避位置との間で動くようになっている。そして、閉塞位置にある開閉部材２０を開放位置に向けて強制変位させるに伴い、第二側作用部２９ａを、干渉位置（図７（ａ）参照）において開閉部材２０の回動を阻止するように開閉部材２０に対して直接又は間接的に（本実施例においては直接）干渉させ、退避位置（図８（ｂ）参照）では開閉部材２０の回動を許容するように第二側作用部２９ａを退避することとなる。
【００２１】
このように伝達機構において回動部材を設けた構成とすることで、各回動部材とそれを支持する回動支点により駆動力を伝達する機構と強制開放保護機構の要部が構成できる。開閉部材の開放を防止する機能を果たす第二回動部材２９と、駆動出力部の駆動を開閉部材に伝達し、開閉部材２０を開放する機能を果たす第一回動部材２７とを同一回転軸線となるよう配置することで、機構構成のコンパクト化を図ることができ、また少数の部材にて機構を構成できるため軽量化を図ることができる。なお、具体的構成としては、図３のように第一回動部材２７及び第二回動部材２９がともに軸４０に挿通され、それら両回動部材２７，２９が軸４０の周りを回動するようになっている。軸４０は後側本体１１に、軸線方向の移動を拘束される形で設置される。なお、前側本体１２と後側本体１１が一体的に固定されることにより入賞装置本体を構成することとなる。また、本実施例において、入賞装置１０はユニット式となっている。遊技盤面に取り付ける前側本体１２は、種々の機構が取り付けられる後側本体１１に対し、着脱可能となっており、遊技機に合わせて前側本体１１が交換可能となっている。
【００２２】
次に、伝達機構１１及び強制開放保護機構の具体的作用について説明する。両機構の構成要素として第二回動部材２９と当接し、自身の直線変位を第二回動部材２９の回動変位に変換しつつ伝達する中間伝達部材としてのスライド部材１９が設けられている。そして、図７（ａ）のように閉塞位置において、該中間伝達部材（スライド部材１９）と第一回動部材２７との間に所定量の隙間が形成される一方、当該中間伝達部たるスライド部材１９と第二回動部材２９とは当接している。そして、駆動出力部３０が第一変位状態から第二変位状態に移行するにつれて第二回動部材２９の回動が開始されるとともに、中間伝達部材（スライド部材１９）と第一回動部材２７との隙間が縮小されるように中間伝達部材（スライド部材１９）が変位し、その変位が所定量に達して当該隙間が解消された後第一回動部材２７の回動が開始されるようになっている。そして、図７（ｂ）のようにその第一回動部材２７の回動が開始される際には、第二側作用部２９ａが開閉部材２０と干渉しないようにその開閉部材２０の変位経路より退避することとなる。具体的には、第二側作用部２９ａが開閉部材２０に形成された第一支持部２０ａと干渉しないように、第一支持部２０ａの回転軌跡上から移動することとなる。
【００２３】
このように、閉塞位置において中間伝達部材（スライド部材１９）と第一回動部材２７との間に所定量の隙間を形成し、中間伝達部材（スライド部材１９）の変位が所定量に達して当該隙間が解消された後、第一回動部材２７の回動が開始されるようにすることで、複雑な装置構成を採らずとも隙間の形成のみで第一回動部材２７の回動開始に遅れを生じさせるようにできる。その結果、第二側作用部２９ａの退避動作を第一回動部材２７の回動動作よりも先に行えることとなり、駆動出力部３０の変位が生じたときのみ第二側作用部２９ａが変位できる機構が達成できる。即ち、駆動出力部３０からの駆動によれば開閉部材２０は開放位置に変位できることとなる。そして、上記構成によれば、このような機構を部品数を増加させることなく部品形状に特徴をもたせることのみにより行うことができ、極めて効果的で、かつ実施容易な機構となる。
【００２４】
以下、図７及び図８を参照し開閉部材２０が閉塞位置にある状態から、開放位置となる状態までの作用の流れについて説明する。図７（ａ）は開閉部材２０が閉塞位置にある状態を示している。そして、入賞口に遊技球を入賞させる特別遊技状態が発生することに伴い、駆動出力部３０が駆動すると（本実施例においてはソレノイドが通電されると）、駆動変位部３２が直線的に変位し、その駆動変位部３２に固定された、又は駆動変位部３２の変位方向と平行方向に一体的に移動するよう構成されたスライド部材１９が駆動変位部３２と平行方向（即ち鉛直上方向）に変位する。
【００２５】
なお、閉塞位置においてスライド部材１９に形成された第二支持部１９ｂが第二回動部材２９と当接しており、駆動変位部３２の変位とほぼ同時に第二回動部材２９を押し上げるようになっている。そして図７（ｂ）のごとく、第二回動部材２９の第二側作用部２９ａが開閉部材２０における第一支持部２０ａの移動方向から退避した後に、図７（ｃ）のようにスライド部材１９における作用部１９ａが第一回動部材２７に形成される第三支持部２７ｂを押し上げることにより第一回動部材２７の回動が開始される。
【００２６】
なお、第二回動部材２９は、駆動変位部３２により直接又は中間伝達部材を介して間接的に当接されるが、その当接する方向に回転力を生じさせるために、第二回動部材２９の端部に着脱可能に錘３４が設けられている。なお、本実施例においては、螺子、ボルト、その他の締結部材が第二回動部材に螺合している。このように着脱可能に構成すれば、ソレノイドの駆動力に応じて、即ち駆動変位部３２の引付力に応じて錘３４を設定できることとなる。
【００２７】
また、図８（ａ）は、自重による開閉部材２０の回転力がほぼ生じない、釣り合いのとれた位置を示している。この釣り合いのとれた変位状態からは、自重による変位が生じないため、図８（ａ）のごとく第二回動部材２９に設けられた押下作用部２９ｂにより第一支持部２０ａが押下され、開閉部材２０がこの位置から強制的に遊技盤前方側に回転変位されることにより、図８（ｂ）のような開放位置となる。
【００２８】
次に開閉部材について説明する。開閉部材２０は、図１、図３及び図６にて示されるように、当該開閉部材２０の回動軸線Ｏ１（開閉部材回動軸線Ｏ１）の方向に細長に延びる形で板状に形成され、その板面が開閉部材回動軸線Ｏ１に関する半径方向外側に向けて凸となるよう屈曲する球受板２１を有する。そして、球受板２１は、図１及び図３のように外周面２１ｂと内周面２１ａが開閉部材回動軸線Ｏ１を中心とする同心的な円筒面をなすように、開閉部材回動軸線Ｏ１に直交する断面形状が弓形形状となるよう形成される。また、図６のように軸線Ｏ１と直交する断面において、内周面２１ａの外形線の曲率半径をｒとした場合ｒ／Ｒが１となるように、又は約１（例えば、０．５〜１．５）となるように球受板２１を形成することができる。
【００２９】
図９は、上記したいずれかの遊技機用入賞装置１０が盤面に設けられたことを特徴とする遊技機について示している。上記いずれの遊技機用入賞装置１０においても、盤面１０５の種々の位置において、盤面上に開口部１４が位置するよう設けられ、開閉部材２０が振り子状に盤面前方側及び後方側に変位するようになっている。そして、通常時は開閉部材２０が盤面内部側に収まっており、特定の遊技状態（例えば表示装置１０８の特別表示態様発生に伴う大当り、入賞装置１０２に入賞することに基づく特別遊技態様等）が発生すると、駆動出力部３０が通電されて第二変位状態をとり、開閉部材２０が遊技球を受け入れ可能となるよう盤面前方側に突出することとなる。
【００３０】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にもおよび、かつ、当業者が通常有する知識に基づく改良を適宜付加することができる。
【図面の簡単な説明】
【図１】本発明の遊技機用入賞装置の一例を示す斜視図。
【図２】開閉部材が閉塞位置にある状態を示す斜視図。
【図３】図１の斜視分解図。
【図４】開放位置にある状態での遊技球の流れについて説明する説明図。
【図５】閉塞位置にある状態での遊技球の流れについて説明する説明図。
【図６】伝達機構の構成について示す図。
【図７】伝達機構の作用について説明する説明図。
【図８】図７に続く図。
【図９】図１の遊技機用入賞装置を備えた遊技機の一例を示す説明図。
【符号の説明】
１０  遊技機用入賞装置
１１  伝達機構
１４  開口部
２０  開閉部材
２１  球受板
２７  第一回動部材（第一伝達主体）
２９  第二回動部材（第二伝達主体）
３０  駆動出力部
３２  駆動変位部
１００  遊技機
Ｏ１  開閉部材回動軸線
Ｏ２  伝達主体回動軸線
【図１】
0004603184.tif 000002
【図２】
0004603184.tif 000003
【図３】
0004603184.tif 000004
【図４】
0004603184.tif 000005
【図５】
0004603184.tif 000006
【図６】
0004603184.tif 000007
【図７】
0004603184.tif 000008
【図８】
0004603184.tif 000009
【図９】
0004603184.tif 000010